(57)【要約】【課題】温度管理した状態で物品を収納する倉庫の扉装置において、断熱扉及び防火シャッタの開閉機構のコストを低減する。【解決手段】自動倉庫１０の扉装置２０は、温度管理した状態で物品を収納する倉庫の出入り口１６に配置可能な装置であって、防火シャッタ２２と、断熱扉２４と、第１開閉機構２６と、第２開閉機構２８と、を備えている。防火シャッタ２２は、出入り口１６を開閉可能である。断熱扉２４は、防火シャッタ２２の外側に配置され、出入り口１６を開閉可能である。第１開閉機構２６は、所定の信号より、防火シャッタ２２を自重により下降させて出入り口１６を閉鎖可能な機構である。第２開閉機構２８は、断熱扉２４の外側にのみ配置され断熱扉２４を開閉駆動可能な機構である。【選択図】図２
2010159536.tif 000002
【特許請求の範囲】
【請求項１】
温度管理した状態で物品を収納する倉庫の出入り口に配置可能な倉庫の扉装置であって、
前記出入り口を開閉可能な防火シャッタと、
前記防火シャッタの外側に配置され、前記出入り口を開閉可能な断熱扉と、
所定の信号より、前記防火シャッタを自重により下降させて前記出入り口を閉鎖可能な第１開閉機構と、
前記断熱扉の外側にのみ配置され前記断熱扉を開閉駆動可能な第２開閉機構と、
を備えた、倉庫の扉装置。
【請求項２】
前記第１開閉機構は、前記断熱扉を閉じた状態で前記防火シャッタを手動により外側から開放可能な手動操作部を有する、請求項１に記載の倉庫の扉装置。
【請求項３】
前記防火シャッタは前記倉庫の外壁の内側に配置され、前記断熱扉は前記外壁の外側に配置されており、
前記第２開閉機構は、前記断熱扉を上下方向に移動させる、請求項１又は２に記載の倉庫の扉装置。
【発明の詳細な説明】
【技術分野】
【０００１】
本発明は、扉装置、特に、危険物を温度管理した状態で収納する倉庫の出入り口に設けられた倉庫の扉装置に関する。
【背景技術】
【０００２】
冷蔵や冷凍等の温度管理した状態で物品を収納する倉庫には、断熱材によって外壁を構成している（例えば、特許文献１参照）。このような温度管理した状態で物品を収納する倉庫には、出入り口に断熱扉が配置されている。また、温度管理が不要な倉庫では、類焼を防止する目的で火災発生時に自動的に閉まる防火シャッタを出入り口に設けているものもある。特に、収納する物品が、例えば揮発性の液体を収納する容器等の危険物である場合には、防火シャッタを出入り口に設置することが義務づけられている。
【０００３】
このように物品を温度管理して収納しかつ類焼を防止する場合、防火機能と断熱機能とを有する扉を設ける必要がある。このような倉庫では、通常は扉を開閉して倉庫への出入り及び物品の入出荷を行っている。火災発生時には、扉は、自動又は所定の操作により下降して出入り口を閉鎖し、人や物品の出入りの際に自動又は所定の操作により開閉される。
【０００４】
防火機能と断熱機能とを有する扉を有する倉庫では、扉を所定の操作で自動的に開閉するとともに、火災発生時に自動的に閉める必要がある。これらの２つの機能は、モータや制御回路等を含む電動の駆動部を使用して実現されている。
【先行技術文献】
【特許文献】
【０００５】
【特許文献１】特開平０９−０３２１４７号公報
【発明の概要】
【発明が解決しようとする課題】
【０００６】
危険物の取り扱う倉庫では、開閉機構は、危険物が収納される倉庫内に配置される。また、危険物を収納する倉庫では、火災発生の際に液体ではなく、二酸化炭素やハロゲン化物等の消火ガスを用いて消火を行うことがある。消火ガスを用いて消火する場合、鎮火後に倉庫内に入る前に扉を開けて換気しなければ倉庫内に人間が入れない。しかし、扉を自動的に開けようとすると防爆仕様のモータ等の電動の駆動部が必要になる。このため、断熱扉や防火シャッタの開閉機構のコストが増加する。
【０００７】
本発明の課題は、温度管理した状態で物品を収納する倉庫の扉装置において、扉の開閉機構のコストを低減することにある。
【課題を解決するための手段】
【０００８】
本発明に係る倉庫の扉装置は、温度管理した状態で物品を収納する倉庫の出入り口に配置可能な倉庫の扉装置であって、防火シャッタと、断熱扉と、第１開閉機構と、第２開閉機構と、を備えている。防火シャッタは、出入り口を開閉可能である。断熱扉は、防火シャッタの外側に配置され、出入り口を開閉可能である。第１開閉機構は、所定の信号より、防火シャッタを自重により下降させて出入り口を閉鎖可能な機構である。第２開閉機構は、断熱扉の外側にのみ配置され断熱扉を開閉駆動可能な機構である。
この扉装置では、防火用の機能を有する防火シャッタと、防火シャッタの外側に配置された断熱機能を有する断熱扉とに分けて扉装置を構成している。そして、例えば火災が発生して所定の信号（例えば、火災報知器からの信号や人の操作による扉閉鎖信号）が出力されると、第１開閉機構により防火シャッタが自重により下降して出入り口が閉鎖される。
【０００９】
断熱扉を開閉する第２開閉機構は断熱扉の外側に配置されているので、第２開閉機構に電動の機構を用いても第２開閉機構を防爆仕様にする必要がなくなる。また、防火シャッタを自重で落下させるので、第１開閉機構にもモータ等の電動の駆動部が不要になり、防爆仕様であっても第１開閉機構のコストを低減できる。
ここでは、第１閉鎖機構は、防火シャッタを自重で下降させるので、出入り口を閉鎖する際に電動の駆動部を使用する必要がない。このため、第１開閉機構にリレー等の電気品を用いてもその部分だけを防爆仕様にすればよい。また断熱扉は、防火シャッタの外側に配置され、かつそれを開閉する第２開閉機構は、断熱扉の外側にのみ配置されているので、第２開閉機構に電動の駆動部を使用してもそれを防爆仕様にする必要がない。このため、第１開閉機構及び第２開閉機構のコストを低減することができる。
【００１０】
第１開閉機構は、断熱扉を閉じた状態で防火シャッタを外側から手動により開放可能な手動操作部を有していても良い。この場合には、火災により閉められた防止シャッタを断熱扉が閉まった状態で手動により開けることができる。このため、防火シャッタを開ける際にも電動の駆動部が不要になり、第１開閉機構のコストをさらに削減できる。しかも、断熱扉を開けることなく防火シャッタを開けることができるので、消火ガスによる消火後でも防火シャッタを安全に開けることができる。
また、断熱扉を開けたときに隠れるスペースを利用して手動操作部を設けることにより、無駄なスペースを減らすことができる。
【００１１】
防火シャッタは倉庫の外壁の内側に配置され、断熱扉は外壁の外側に配置されており、第２開閉機構は、断熱扉を上下方向に移動させるようになっていても良い。この場合には、防火シャッタと断熱扉とが外壁を挟んで配置され、かつ断熱扉が上下に動くので、防火シャッタ及び断熱扉を横方向に複数配置することができる。
【発明の効果】
【００１２】
本発明によれば、第１閉鎖機構は、防火シャッタを自重で下降させるので、出入り口を閉鎖する際に電動の駆動部を使用する必要がない。このため、第１開閉機構にリレー等の電気品を用いてもその部分だけを防爆仕様にすればよい。また断熱扉は、防火シャッタの外側に配置され、かつそれを開閉する第２開閉機構は、断熱扉の外側にのみ配置されているので、第２開閉機構に電動の駆動部を使用してもそれを防爆仕様にする必要がない。このため、第１開閉機構及び第２開閉機構のコストを低減することができる。
【図面の簡単な説明】
【００１３】
【図１】本発明の一実施形態が採用される自動倉庫の平面模式図。
【図２】本発明の一実施形態による扉装置の断面図。
【図３】その第１開閉機構周りの断面拡大図。
【発明を実施するための形態】
【００１４】
（１）自動倉庫
図１を用いて本発明が適用される自動倉庫について説明する。
自動倉庫１０は、例えば、物品としての第４石油類等の危険物が充填された容器（例えば、ドラム缶及びペール缶）１２を収納する自動倉庫である。自動倉庫１０の内部は、複数（例えば、４つ）の区画１３を有している、各区画１３には、容器１２を保管する棚１４と、棚１４に容器を搬入及び搬出するスタッカクレーン１５と、出入り口１６とが配置されている。棚１４の出入り口側にはパレットに乗った状態の容器１２と搬入する搬入コンベア１７ａと搬出コンベア１７ｂとが設けられている。自動倉庫１０の内部は、常温状態、冷蔵状態又は冷凍状態で容器１２を収納可能なように各区画１３に設けられた空調装置１８により温度調整されている。自動倉庫１０の各区画１３の出入り口１６には、本発明の一実施形態による扉装置２０が配置されている。なお、自動倉庫１０の説明においては、図１一番上の一つの区画１３にだけ符号を付している。
【００１５】
（２）扉装置
扉装置２０は、図２に示すように、出入り口を開閉可能な防火シャッタ２２と、防火シャッタ２２の外側に配置された断熱扉２４と、防火シャッタ２２用の第１開閉機構２６と、断熱扉２４開閉用の第２開閉機構２８と、を備えている。断熱扉２４は、出入り口１６を開閉可能である。第１開閉機構２６は、防火シャッタ２２を自重により下降させて出入り口１６を閉鎖可能である。第２開閉機構２８は、断熱扉２４の外側にのみ配置され断熱扉２４を開閉駆動可能である。
【００１６】
（３）防火シャッタ
防火シャッタ２２は、自動倉庫１０の外壁３０の内側で出入り口１６の上方に配置されている。防火シャッタ２２は、例えば火災発生時のオペレータの閉鎖ボタンの操作信号や火災報知器からの報知信号等の所定の信号により下降する。防火シャッタ２２は、通常は開放した状態に維持される。
【００１７】
（４）断熱扉
断熱扉２４は、通常の出入りの際に開閉される扉である。断熱扉２４は、自動倉庫１０の外壁３０の外側に配置されている。断熱扉２４は、上下方向に移動可能に外壁３０の外側に配置された上扉部材２４ａ及び下扉部材２４ｂを有している。下扉部材２４ｂは上扉部材２４ａの外側に配置されている。上扉部材２４ａおよび下扉部材２４ｂは、内部に断熱材が充填された厚みが厚い扉である。上扉部材２４ａおよび下扉部材２４ｂの長さは、出入り口１６の高さの半分より長い。したがって、閉じたときに上扉部材２４ａの下部に下扉部材２４ｂの上部が重なるように配置される。上扉部材２４ａおよび下扉部材２４ｂは、出入り口１６の両内側面に設けられたガイド部３２により上下に案内される。上扉部材２４ａの下部背面と下扉部材２４ｂ下部表面には係合部材が設けられ、下扉部材２４ｂが持ち上げられると係合して、上扉部材２４ａも持ち上がるようになっている。下扉部材２４ｂの両側部の外側部には、従動スプロケット３６が設けられている。従動スプロケット３６には、第２開閉機構２８により駆動される駆動スプロケット３８との間にチェーン４０が巻回されている。これにより、断熱扉２４が昇降駆動される。
【００１８】
（５）第１開閉機構
第１開閉機構２６は、図３に示すように、外壁３０の内側にブラケット３１を介して取り付けられたシャッタケース３９に一部が収納されている。第１開閉機構２６は、断熱扉２４を閉鎖した状態で防火シャッタ２２を手動により開放可能な手動操作部４２と、手動操作部４２により防火シャッタ２２を巻取可能な巻取体４４と、巻取体４４を制動する制動部４６と、を備えている。
【００１９】
手動操作部４２は、図２に二点鎖線で示す断熱扉２４を開けたときに隠れるスペースを利用して設けられている。手動操作部４２は、断熱扉２４を閉じた状態で防火シャッタ２２を手動により開放可能である。手動操作部４２は、巻取体４４とチェーン５０を介して連結された第１軸部材５２と、第１軸部材と直交する方向に配置され、シャッタケース３９及び外壁３０を貫通して外部に延びる第２軸部材５４と、を備えている。第１軸部材５２及び第２軸部材５４の基端には、それぞれベベルギア５６，５８が一体回転可能に装着されている。第２軸部材５４の回転は、ベベルギア５８，５６の噛み合いにより第１軸部材５２に伝達され、チェーン５０を介して巻取体４４に伝達される。
【００２０】
第２軸部材５４の先端には、回転操作用のハンドル把手６０が一体回転可能に装着されている。ハンドル把手６０は、第２軸部材５４に着脱自在に装着されている。ハンドル把手６０は、閉まった状態の断熱扉２４の上扉部材２４ａの上方に設けられた収納箱６１の内部に収納されている。収納箱６１は錠前付きの開閉する扉６１ａを有し、断熱扉２４を開けた状態では断熱扉２４によりカバーされる。
【００２１】
第１軸部材５２の先端には、駆動スプロケット５３が装着されており、チェーン５０を介して巻取体４４の一端に一体回転可能に連結された従動スプロケット６２に第１軸部材５２の回転が伝達される。これにより、ハンドル把手６０の回転により防火シャッタ２２を開放することができる。
【００２２】
制動部４６は、巻取体４４の他端に連結されている。制動部４６は、例えば防爆仕様のリレー（図示せず）により制動解除状態と制動状態とを取り得る。リレーがオンすると、制動部４６は制動解除状態とになり、リレーがオフすると、制動部４６が制動状態になる。リレーは、所定の信号によりオンして制動部４６を制動解除状態に切り換える。したがって、第１開閉機構２６は、外壁３０の外側に配置されたハンドル把手６０による手動開閉操作と、所定の信号による自重による閉鎖動作と、を行うことができる。
【００２３】
（６）第１開閉機構
第２開閉機構２８は、図２に示すように、断熱扉２４を上下方向に移動させる。第２開閉機構２８は、断熱扉２４の外側にのみ配置され、断熱扉２４を開閉駆動可能である。第２開閉機構２８は、駆動用のモータ７０と、モータの回転を減速する減速機構７２と、を有している。この減速機構７２に駆動スプロケット３８が連結されている。第２開閉機構２８は、開閉ボタンを有する無線のリモートコントローラや出入り口１６の外部に配置された操作ボタン等により開閉操作を行うことができる。
【００２４】
（７）扉装置の動作
火災等が発生すると、オペレータが自動倉庫１０の内部に人がいるか否か等を判断して防火シャッタ２２を下ろすための操作ボタンを操作する。また、消火ガスを用いた自動消火設備を作動させる。オペレータの操作ボタンを操作すると、その操作信号によりリレーがオンし、制動部４６が制動解除状態になる。この結果、防火シャッタ２２が自重により落下して防火シャッタ２２により出入り口１６が閉鎖される。
【００２５】
火災が鎮火し、内部の検証を行う場合、その前に自動倉庫１０の内部にある消火ガスを外部に排出する必要がある。この場合、断熱扉２４を開けて防火シャッタ２２を開けると、開けたと同時に自動倉庫１０内から消火ガスが出るおそれがある。
【００２６】
そこで、本実施形態では、断熱扉２４を閉めた状態で、作業者が脚立や梯子などを利用して収納箱６１の扉６１ａを開ける。そして、内部に収納されたハンドル把手６０を回して、下降した防火シャッタ２２を自重により開けることができる。ハンドル把手６０を、例えば時計回りに回すと、第２軸部材５４が回転し、その回転が２つのベベルギア５６，５８を介して第１軸部材５２に伝達され、駆動スプロケット５３が回転する。この回転がチェーン５０を介して巻取体４４に伝達され、巻取体４４が巻取方向に回転して防火シャッタ２２を開けることができる。このとき、断熱扉２４は閉まった状態であるので、消火ガスが外部に出にくい。最後に断熱扉２４を遠隔操作により開けて消火ガスを外部に排出する。
【００２７】
（８）特徴
扉装置２０は、温度管理した状態で容器１２を収納する自動倉庫１０の出入り口１６に配置可能な装置である。扉装置２０は、防火シャッタ２２と、断熱扉２４と、第１開閉機構２６と、第２開閉機構２８と、を備えている。防火シャッタ２２は、出入り口１６を開閉可能である。断熱扉２４は、防火シャッタ２２の外側に配置され、出入り口１６を開閉可能である。第１開閉機構２６は、所定の信号より、防火シャッタ２２を自重により下降させて出入り口１６を閉鎖可能な機構である。第２開閉機構２８は、断熱扉２４の外側にのみ配置され断熱扉２４を開閉駆動可能な機構である。
【００２８】
この扉装置２０では、防火用の機能を有する防火シャッタ２２と、防火シャッタ２２の外側に配置された断熱機能を有する断熱扉２４とに分けて扉装置を構成している。そして、例えば火災が発生して所定の信号（例えば、火災報知器からの信号や人の操作による扉閉鎖信号）が出力されると、第１開閉機構２６により防火シャッタ２２が自重により下降して出入り口１６が閉鎖される。
断熱扉を開閉する第２開閉機構２８は断熱扉２４の外側にのみ配置されているので、第２開閉機構２８にモータ７０を用いてもモータ７０を防爆仕様にする必要がなくなる。また、防火シャッタ２２を自重で落下させるので、第１開閉機構２６にもモータ等の電動の駆動部が不要になり、防爆仕様であっても第１開閉機構２６のコストを低減できる。
ここでは、第１開閉機構２６は、防火シャッタ２２を自重で下降させるので、出入り口１６を閉鎖する際に電動の駆動部を使用する必要がない。また断熱扉２４は、防火シャッタの外側に配置され、かつそれを開閉する第２開閉機構２８は、断熱扉２４の外側にのみ配置されているので、第２開閉機構２８に電動の駆動部を使用してもそれを防爆仕様にする必要がない。このため、断熱扉２４及び防火シャッタ２２の第１開閉機構２６および第２開閉機構２８のコストを低減することができる。
【００２９】
第１開閉機構２６は、断熱扉２４を閉じた状態で防火シャッタ２２を外側から手動により開放可能な手動操作部４２を有している。この場合には、火災により閉められた防火シャッタ２２を断熱扉２４が閉まった状態で手動により開けることができる。このため、防火シャッタ２２を開ける際にも電動の駆動部が不要になり、第１開閉機構２６のコストをさらに削減できる。しかも、断熱扉２４を開けることなく防火シャッタ２２を開けることができるので、気体による消火後でも防火シャッタ２２を安全に開けることができる。
また、断熱扉２４を開けたときに隠れるスペースを利用して手動操作部４２が設けられているので、無駄なスペースを減らすことができる。
【００３０】
防火シャッタ２２は自動倉庫１０の外壁３０の内側に配置され、断熱扉２４は外壁３０の外側に配置されており、第２開閉機構２８は、断熱扉２４を上下方向に移動させる。この場合に、防火シャッタ２２と断熱扉２４とが外壁３０を挟んで配置され、かつ断熱扉２４が上下に動くので、防火シャッタ２２及び断熱扉２４を横方向に複数配置することができる。
【００３１】
（９）他の実施形態
以上、本発明の一実施形態について説明したが、本発明は上記実施形態に限定されるものではなく、発明の要旨を逸脱しない範囲で種々の変更が可能である。
【００３２】
前記実施形態では、冷蔵及び冷凍用の自動倉庫１０を例に本発明を説明した。しかし、本発明の適用される扉装置はこれに限定されず、自動倉庫でなくても良い。すなわち、断熱扉と防火シャッタとを有し、内部に危険物が収納されるすべての倉庫に適用できる。
【産業上の利用可能性】
【００３３】
本発明は、危険物が保管される倉庫の扉装置に広く適用可能である。
【符号の説明】
【００３４】
１０    自動倉庫
１２    容器
１３    区画
１４    棚
１５    スタッカクレーン
１６    出入り口
１７ａ  搬入コンベア
１７ｂ  搬出コンベア
１８    空調装置
２０    扉装置
２２    防火シャッタ
２４    断熱扉
２４ａ  上扉部材
２４ｂ  下扉部材
２６    第１開閉機構
２８    第２開閉機構
３０    外壁
３１    ブラケット
３２    ガイド部
３６    従動スプロケット
３８    駆動スプロケット
３９    シャッタケース
４０    チェーン
４２    手動操作部
４４    巻取体
４６    制動部
５０    チェーン
５２    第１軸部材
５３    駆動スプロケット
５４    第２軸部材
５６    ベベルギア
５８    ベベルギア
６０    ハンドル把手
６１    収納箱
６１ａ  扉
６２    従動スプロケット
７０    モータ
７２    減速機構
【図１】
2010159536.tif 000003
【図２】
2010159536.tif 000004
【図３】
2010159536.tif 000005